(57)【要約】      （修正有）【課題】顧客による磁石を用いた解除を困難にする盗難防止装置を提供する。【解決手段】  ケースＡの周壁一側の開口６からケース内の挿入路に挿入部材８を挿入しケースの開放を阻止するように設けた係合手段Ｂと、挿入部材に前記挿入部材の挿入にともない押し戻されないように設けた複数の係止爪２１及び係止爪が係止関係になるように設けた係止部と、ケースの周囲面に存在させるショップ側の解除具の保持永久磁石により磁吸して係止爪と係止部との係止関係を解除するように前記各係止爪側に設けた鉄片２６とからなる盗難防止装置において、挿入部材の上記係止爪の配置線上に補助係止爪３１を設け、又ケースの内面に挿入部材の挿入終了状況下に補助係止爪に合致する補助係止部を設け、更に補助係止爪に顧客による永久磁石を用いた解除操作にともない磁吸して補助係止爪と補助係止部とが係止関係になる鉄片３３を設ける。【選択図】図３
2009073558.tif 000002
【特許請求の範囲】
【請求項１】
箱体と、この箱体の下辺にヒンジを介し開閉自在に設けた蓋体とで商品の収納ケースを形成し、このケースの周壁一側の開口から上記ケース内の挿入路に挿入部材を挿入し、この挿入部材と上記箱体及び蓋体とに上記挿入部材の挿入にともない係合関係になって上記ケースの開放を阻止するように設けた係合手段と、上記挿入部材に前記挿入部材の挿入にともない押し戻されないように設けた複数の係止爪及び上記箱体及び蓋体のいずれか片方の内面に上記挿入部材の挿入終了にともない合致した上記係止爪が係止関係になるように設けた係止部と、上記ケースの周囲面に存在させるショップ側の解除具の保持永久磁石により磁吸して上記係止爪と係止部との係止関係を解除するように前記各係止爪側に設けた鉄片とからなる盗難防止装置において、上記挿入部材の上記係止爪の配置線上に補助係止爪を設け、又ケースの内面に上記挿入部材の挿入終了状況下に上記補助係止爪に合致する補助係止部を設け、更に上記補助係止爪に顧客による永久磁石を用いた解除操作にともない磁吸して前記補助係止爪と補助係止部とが係止関係になる鉄片を設けたことを特徴とする盗難防止装置。
【請求項２】
周囲の一面に商品の出し入れ用の開口を有するケースと、このケースに上記開口を開放させて商品の出し入れ方向に沿わせて設けた挿入路と、この挿入路に挿入する挿入部材の挿入方向の反対側末端に上記開口の一部を閉鎖するように設けたストッパと、上記挿入部材に前記挿入部材の挿入にともない押し戻されるように設けた複数の係止爪と、上記挿入路内に上記挿入部材の挿入終了にともない合致した上記係止爪が係止関係になるように設けた係止部と、上記ケースの周囲面に存在させるショップ側の解除具の保持永久磁石により磁吸して上記係止爪と係止部との係止関係を解除するように前記係止爪側に設けた鉄片とからなる盗難防止装置において、上記挿入部材の上記係止爪の配列線上に補助係止爪を設け、又挿入路の内面に上記挿入部材の挿入終了状況下に上記補助係止爪に合致する補助係止部を設け、更に上記補助係止爪に顧客による永久磁石を用いた解除操作にともない磁吸して前記補助係止爪と補助係止部とが係止関係になる鉄片を設けたことを特徴とする盗難防止装置。
【請求項３】
ブックを挿入する筒状の保持部材と、この保持部材に挿入ブックの通過を阻止するように設けた抜け止め部と、上記保持部材にブックの挿入側面が開放して設けた挿入路と、この挿入路に挿入する挿入部材の挿入方向の反対側末端にブックの背表紙の表面に位置するよう設けたストッパと、上記挿入部材の挿入方向線上に前記挿入部材の挿入にともない押し戻されるように設けた複数の係止爪と、上記挿入路内に上記挿入部材の挿入終了にともない合致した上記係止爪が係止関係になるように設けた係止部と、上記挿入路の周面に存在させるショップ側の解除具の保持永久磁石により磁吸して上記係止爪と係止部との係止関係を解除するように前記各係止爪側に設けた鉄片と、上記挿入部材の上記係止爪の配置線上に設けた補助係止爪と、上記挿入路内に上記挿入部材の挿入終了状況下に上記補助係止爪に合致するように設けた補助係止部と、上記補助爪に顧客による永久磁石を用いた解除操作にともない磁吸して前記補助係止爪と補助係止部とが係止関係になるように設けた鉄片とからなる盗難防止装置。
【請求項４】
前記補助係止爪の鉄片が、ショップ側の解除具の永久磁石により磁吸されず、かつ顧客の永久磁石により係止爪と補助係止爪との両鉄片を磁吸されるように係止爪の鉄片に対し、接近した距離に配置したことを特徴とする請求項１、２又は３に記載の盗難防止装置。
【発明の詳細な説明】
【技術分野】
【０００１】  この発明は、例えばケースに収納してある商品の顧客による抜き取りや陳列してあるブックの抜き取りを防止する盗難防止装置に関する。
【背景技術】
【０００２】  ＣＤ、ＤＶＤなどの記録媒体の商品を収納したケースをレンタルショップの棚に陳列すると、ケースに開放防止の盗難防止機能がないと、顧客によりケースを開放して商品が抜き取られて盗難にあう。【０００３】  上記の商品は、レンタルショップでの貸し出し記録媒体に限定されず、その他の各種商品であっても同様に盗難にあう。【０００４】  そこで、ケースに顧客による開放を阻止し、ショップ側にあってはショップ側に備えてある解除具により開放阻止を解除するようにした盗難防止装置がある（特許文献１及び特許文献２）。【０００５】  上記特許文献１の出荷されているケース及びケースの蓋の開放阻止用ロック板の構成の詳細は、図２０、２１に示すように、箱体１０１とこの箱体１０１の一辺にヒンジ１０２を介し開閉自在に設けた蓋体１０３とでケース１０４が形成されている。【０００６】  そして、ケース１０４の側面に設けてある開口１０５からロック板嵌入空間１０６にロック板１０７をスライド嵌入して箱体１０１に対し蓋体１０３が開かない構造としてある。【０００７】  上記開かない構造としては、箱体１０１と蓋体１０３との内と外とで重なる或いは、二重になる周壁１０８、１０９の上記開口１０５の開放にともなう切り離し端から内方に向け、かつ内と外とで重なり合Ｕ字状の切欠きにより設けた両フック１１０、１１１にロック板１０７の端末側から突出する突片１１２が嵌入して、突片１１２と両フック１１０、１１１との係合関係でケース１０４の開口１０５側の箱体１０１と蓋体１０３の解放を阻止し、又箱体１０１と蓋体１０３との両側壁１１３、１１４の内面（ロック板の嵌入空間１０６内で突出し、かつ直列状に並ぶ筒体１１５、１１６にロック板１０７の閂材１１７が貫通してケース１０４の開口１０５の反対側の箱体１０１と蓋体１０３との開放を阻止している。【０００８】  そして、さらに両周壁１０８、１０９のヒンジ１０２に対向する内面の突部１１８がロック板１０７の上面の溝１１９に嵌入している。【０００９】  なお、ロック板１０７の末端側突片１１２の後方には、ショップ側の解除具を用いてロック板１０７を引き抜く際の引っかかり爪１２０が設けてある。【００１０】  なお、ロック板１０７の引き抜き防止の係合関係は、側壁１１４の内面から突出する多段の係合部１２１にロック板１０７の係合爪１１２が係合し、この係合関係の解除は、ショップ側に備えてある解除具の磁石により係合爪１２２側の鉄片１２５を磁吸して、係合部１２１から係合爪１２２が外れて、係合関係がなくなるようにしてある。【００１１】  そして、解除具（又はケース側でもよい）を移動させることで、解除具にロック板が引っかかってロック板を引き抜く。【００１２】  また、ショップにブックを陳列すると持ち出されて盗難にあうので、従来の盗難防止手段としては、図２２、２３に示すように筒状の保持部材２０１にブックＢを挿入する。【００１３】  挿入するブックＢは、末端に抜け止めストッパ２０２を有する保持部材２０１の両側壁２０３間にブックＢを挿入する場合と、ブックＢの少なくとも片方の表紙や表紙と綴じ込み紙の一部を側壁２０３の外側に露出するようにして保持部材２０１に挿入する。【００１４】  この挿���要因は、ブックＢの厚みが保持部材２０１の両側壁２０３間の寸法よりも厚い場合のみに行なう。【００１５】  次に、保持部材２０１の頂壁２０４の上側の筒状の案内部２０５に備え部材２０６を挿入して、この備え部材２０６の挿入方向の反対側端のストッパ２０７をブックＢの背表紙の表面に当接して保持部材２０１に対するブックＢの抜き取りを阻止する。【００１６】  そして、備え部材２０６の顧客による抜き取り防止を、備え部材２０６の挿入にともない押し戻され、挿入終了にともない案内部２０５の貫孔２０８に合致して嵌り込む係止爪２０９を備え部材２０６に設けておく。【００１７】  係止爪２０９の係合関係の解除は、ショップ側の解除具の各突起をそれぞれの貫孔２０８に嵌入して、貫孔２０８から係止爪２０９が脱出するように係止爪２０９を押し戻す。【００１８】  すると、備え部材２０６の脱出方向のスライドが可能になる。【００１９】
【特許文献１】  特開２００２−１５０４４４号公報
【００２０】
【特許文献２】  アメリカ特許第６６０１４１５号公報
【発明の開示】
【発明が解決しようとする課題】
【００２１】  ところで、特許文献１及び特許文献２のケースにあっては、ケースの周囲一面（添付詳細図の係合関係にある係合部と係合爪との部分）に顧客の把持した（鉄片の数に見合う二個の）永久磁石を重ねると共に、把持した永久磁石をスライドさせながら永久磁石により鉄片（各係合爪の）を磁吸することで、係合部と係合爪との係合関係を解除することができる。【００２２】  この状況下で把持した永久磁石をスライドさせる（このときロック板の爪に永久磁石の端面を引っかけて）ことで、ケースからロック板を引き抜くことができ（現上、偶然に）、ケースの開放が可能になって、収納してある商品が抜き取られることがある。【００２３】  このため、商品の盗難にあう問題が発生した。【００２４】  また、添付図面のブックの盗難防止手段によると、顧客により貫孔に細かい材料を嵌入して係止爪を押し戻すことができるので、貫孔と係止爪との係合関係を簡単に解除でき、解除にともない備え部材を抜き取って保持部材に対するブックを引き抜き、引き抜いたブックの持ち出しができる問題があった。【００２５】  そこで、この発明は、上述の問題を解決した盗難防止装置を提供することにある。
【課題を解決するための手段】
【００２６】  上記の課題を解決するために、この発明は、箱体と、この箱体の下辺にヒンジを介し開閉自在に設けた蓋体とで商品の収納ケースを形成し、このケースの周壁一側の開口から上記ケース内の挿入路に挿入部材を挿入し、この挿入部材と上記箱体及び蓋体とに上記挿入部材の挿入にともない係合関係になって上記ケースの開放を阻止するように設けた係合手段と、上記挿入部材に前記挿入部材の挿入にともない押し戻されないように設けた複数の係止爪及び上記箱体及び蓋体のいずれか片方の内面に上記挿入部材の挿入終了にともない合致した上記係止爪が係止関係になるように設けた係止部と、上記ケースの周囲面に存在させるショップ側の解除具の保持永久磁石により磁吸して上記係止爪と係止部との係止関係を解除するように前記各係止爪側に設けた鉄片とからなる盗難防止装置において、上記挿入部材の上記係止爪の配置線上に補助係止爪を設け、又ケースの内面に上記挿入部材の挿入終了状況下に上記補助係止爪に合致する補助係止部を設け、更に上記補助係止爪に顧客による永久磁石を用いた解除操作にともない磁吸して前記補助係止爪と補助係止部とが係止関係になる鉄片を設けた構成を採用する。【００２７】  また、周囲の一面に商品の出し入れ用の開口を有するケースと、このケースに上記開口を開放させて商品の出し入れ方向に沿わせて設けた挿入路と、この挿入路に挿入する挿入部材の挿入方向の反対側末端に上記開口の一部を閉鎖するように設けたストッパと、上記挿入部材に前記挿入部材の挿入にともない押し戻されるように設けた複数の係止爪と、上記挿入路内に上記挿入部材の挿入終了にともない合致した上記係止爪が係止関係になるように設けた係止部と、上記ケースの周囲面に存在させるショップ側の解除具の保持永久磁石により磁吸して上記係止爪と係止部との係止関係を解除するように前記係止爪側に設けた鉄片とからなる盗難防止装置において、上記挿入部材の上記係止爪の配列線上に補助係止爪を設け、又挿入路の内面に上記挿入部材の挿入終了状況下に上記補助係止爪に合致する補助係止部を設け、更に上記補助係止爪に顧客による永久磁石を用いた解除操作にともない磁吸して前記補助係止爪と補助係止部とが係止関係になる鉄片を設けた構成を採用する。【００２８】  さらに、ブックを挿入する筒状の保持部材と、この保持部材に挿入ブックの通過を阻止するように設けた抜け止め部と、上記保持部材にブックの挿入側面が開放して設けた挿入路と、この挿入路に挿入する挿入部材の挿入方向の反対側末端にブックの背表紙の表面に位置するよう設けたストッパと、上記挿入部材の挿入方向線上に前記挿入部材の挿入にともない押し戻されるように設けた複数の係止爪と、上記挿入路内に上記挿入部材の挿入終了にともない合致した上記係止爪が係止関係になるように設けた係止部と、上記挿入路の周面に存在させるショップ側の解除具の保持永久磁石により磁吸して上記係止爪と係止部との係止関係を解除するように前記各係止爪側に設けた鉄片と、上記挿入部材の上記係止爪の配置線上に設けた補助係止爪と、上記挿入路内に上記挿入部材の挿入終了状況下に上記補助係止爪に合致するように設けた補助係止部と、上記補助爪に顧客による永久磁石を用いた解除操作にともない磁吸して前記補助係止爪と補助係止部とが係止関係になるように設けた鉄片とからなる構成を採用する。【００２９】  すると、ショップでの陳列時に顧客の携行した永久磁石により解除しようとしたとき、補助係止爪の鉄片を磁吸して、補助係止爪と補助係止部とが係止関係になる。【００３０】  また、補助係止爪の鉄片が、ショップ側の解除具の永久磁石により磁吸されず、かつ顧客の永久磁石により係止爪と補助係止爪との両鉄片を磁吸されるように係止爪の鉄片に対し、接近した距離に配置して、係止爪と補助係止爪の鉄片を顧客の永久磁石により磁吸して、補助係止爪と補助係止部とが係止関係になる。
【発明の効果】
【００３１】  以下のように、この発明の盗難防止装置によれば、ケースの開放を阻止する挿入部材やケースの周囲一面の開口から商品の抜き取りを阻止する挿入部材に鉄片を有する補助係止爪を、挿入路に挿入部材の挿入終了状況下に補助係止爪に合致する補助係止部を設けてあるので、顧客の携行した永久磁石を挿入路の表面に重ね、かつスライドさせて鉄片を磁吸しながら係止爪と係止部との係止関係を解除しようとしてもスライド途中に補助係止爪の鉄片を磁吸して、補助係止爪と補助係止部とが係止関係になる。【００３２】  この係止関係により挿入部材の脱出（引き抜き）方向のスライドが阻止されて盗難防止に効果を発揮する。【００３３】  勿論、ショップ側の永久磁石を保持した解除具を使用することで、補助係止爪の鉄片を磁吸しないため、ショップ側で解除に差しつかえがない。【００３４】  また、ブックの盗難防止装置にあっても上述と同様の効果がある。【００３５】  さらに、補助係止爪の鉄片が、ショップ側の解除具の永久磁石により磁吸されず、かつ顧客の永久磁石により係止爪と補助係止爪との両鉄片を磁吸されるように係止爪の鉄片に対し、接近した距離に配置してあるので、顧客の把持した永久磁石で係止爪の鉄片を磁吸しようとしても補助係止爪の距離の近い鉄片を磁吸するので、この磁吸のより補助係止爪と補助係止部とが係止関係になって挿入部材の引き抜きや脱出方向のスライドが阻止されて盗難防止にすぐれた効果を発揮する。【００３６】  特に２個の永久磁石を係止爪と補助係止爪の鉄片を磁吸しようとした際、両永久磁石の磁吸により吸引されて永久磁石間に強い力で指などが挟まれて手に損傷を受け、その結果盗難の行為を中断させる利点もある。
【発明を実施するための最良の形態】
【００３７】  以下、この発明の実施形態を添付図面に基づいて説明する。【００３８】  この発明の第１の実施形態では、図１から図７に示すように、箱体１と、この箱体１の下辺にヒンジ２を介し開閉自在に設けた蓋体３とで商品ａの収納ケースＡを形成する。【００３９】  上記の箱体１及び蓋体３は、図示の場合側壁４と、この側壁４の各辺縁から連なって側壁４の裏面方向に突出する周壁５とで構成され、片方のケースＡの閉鎖時片方の周壁５の外側にもう片方の周壁５が被さるようにしたが、両周壁５の開放縁を突き合わせる形式であってもよい。【００４０】  なお、ヒンジ２は、図示のピンヒンジに限定されず、ハーフカット方式のヒンジであってもよい。【００４１】  また、ケースＡの周壁５の一側の上部に設けた開口６からケースＡ内の挿入路７に挿入部材８を挿入する。【００４２】  なお、挿入部材８の挿入方向の反対側末端の板状体９を開口６に嵌入して開口６を閉鎖すると共に、板状体９の突片１０を開口６の縁の切欠き１１に嵌入する（嵌入にともない挿入部材８と蓋体３とが係合関係になる）ようにしたが、限定されない。【００４３】  上記の挿入部材８は、図示の場合左右の側板１２と、この両側板１２を連結する連結板１３とで断面Ｈ状に構成されているが、限定されず、その他の棒状であってもよい。【００４４】  さらに、挿入部材８と箱体１及び蓋体３とには、挿入部材８を挿入することにより係合関係になってケースＡの開放を阻止する係合手段Ｂが設けてある。【００４５】  上記の係合手段Ｂとしては、図示の場合箱体１の上辺側周壁５から突出する係止片１４の内側に挿入部材８の片方の側板１２の上縁部が嵌り込んで係合し、箱体１及び蓋体３の側壁４の内面に設けてある筒状体１５に挿入部材８の閂材１６が貫通し、そして箱体１及び蓋体３の上辺側周壁５の開口６側切り離し端から内方に向く切欠き１６’、１６’に挿入部材８の末端部から上方に突出する突片１７’が嵌り込んで係合関係になるようにしたが、限定されず、例えば図７に示すように箱体１及び蓋体３の上辺側（ヒンジ２に平行する辺）両周壁５の開放縁から下方に突出する７字状の係止片１４、１４の内側に挿入部材８の両側板１２の上縁部を嵌入させて係合関係（ケースＡの開放阻止の）にしてもよい。【００４６】  なお、各係止片１４は全長にわたって設けたもの（長い）や点在的な短いものでもよい。【００４７】  そして、挿入部材８には、挿入部材８の挿入にともない押し戻される複数の係止爪２１が、蓋体３及び箱体１のいずれか片方には、挿入部材８の挿入終了にともない合致した係止爪２１が係止関係になる係止部２２が設けてある。【００４８】  上記の係止爪２１は、図示の場合、合成樹脂製の挿入部材８の成形の際薄肉のヒンジ２３を介し傾動板２４と、この傾動板２４の自由端の下縁から下方に突出させて設け、上記の係止部２２は、図示の場合挿入路７を形成する仕切壁２５の上面に凹入部を設けて形成したが、凹入部にかえて突部を設けて、この突部の斜面上を乗りこえた係止爪２１が突部に引っかかるようにしてもよい。【００４９】  そして、各係止爪２１側に永久磁石により磁吸されて係止部２２に対する係止爪２１の係止関係を解除する鉄片２６が設けてある。【０���５０】上記の鉄片２６は、図示の場合、傾動板２４の自由端の上面から金属製のビスをねじ込んで設けてある。【００５１】  上記のように構成すると、ケースＡに例えばディスクの商品ａを収納したのち、開口６から挿入路７に挿入部材８を挿入し、挿入終了にともない係止部２２と係止爪２１とが係止関係になって挿入部材８の引き抜きができなくなると共に、係合手段Ｂの係合によってケースＡの開放が阻止されて収納商品ａの抜き取りができない。【００５２】  ショップ側の解除方式は、図８に示すように、ケースＡの上辺にショップ側の解除具２７を載置する。【００５３】  すると、解除具２７に保持してある永久磁石２８が各係止爪２１の鉄片２６を磁吸するので、係止爪２１の傾動板２４の自由端を上昇させて係合部２２から係止爪２１が図８に示すように外れて係止関係が解除され、この状況下でケースＡを把持して解除具２７を図８右方向にスライドすると、挿入部材８の突出部２９に解除具２７の端面が引っかかって挿入路７から挿入部材８が引き抜かれ、ケースＡの開放が可能になる。【００５４】  そこで、顧客の携行した永久磁石を用いた解除を困難にするため、図２、３、４、５、８に示すように爪尖端が上向きの補助係止爪３１を挿入部材８に設ける。【００５５】  上記の補助係止爪３１は、係止爪２１間や係止爪２１の前後などに適宜決定して、複数配置し、係止爪２１を同様に挿入部材８の成形の際ヒンジ２３を介し連なる傾動板２４の自由端側に設ける。【００５６】  そして、挿入路７内（図示の場合、周壁５の内面に）に挿入部材８の挿入終了状況下に補助係止爪３１に合致する補助係止部３２を、また補助係止爪３１側にも永久磁石により磁吸されて補助係止爪３１が上昇方向に傾動する鉄片３３が設けてある。【００５７】  上記の鉄片３３は、鉄片２６と同様の方法で設けておく。【００５８】  すると、図９に示すように、顧客の携行した永久磁石３５をケースＡの上辺側周壁５上に重ね、かつスライドさせて係止爪２１側の鉄片２６を磁吸して係止爪２１と係止部２２との係止関係を解除しようとして解除できても、永久磁石３５が補助係止爪３１の鉄片３３を磁吸し、この磁吸にともない補助係止部３２に補助係止爪３１が係止（図９に示すように）するので、挿入部材８の引き抜きができなくなる。すなわち、盗難防止を維持する。【００５９】  勿論、補助係止爪３１側のみの鉄片３３を磁吸する場合もあるが、この場合も盗難防止になる。【００６０】  なお、顧客の把持した２個の永久磁石３５が磁吸力により引きよせられると、永久磁石３５の端面間に指などが強い磁吸力で挟まれて怪我をするので、商品を抜き取ろうとする意欲をなくさせることになる。【００６１】  また、係止爪２１と補助係止爪３１の配置（数など）も、図４に限定されず、図１０に示すように、１つの係止爪２１の前に（後でも可）配置することで、同様の作用効果がある。【００６２】  この発明の第２の実施形態では、図１１、１２に示すように、ケースＡ’の周囲一面には、商品ａの出し入れ用の開口４１が設けてある。【００６３】  上記のケースＡは、対向する側壁４２、４２と、この両側壁４２、４２の一側を除く残る三辺の縁を連結する周壁４３とで構成され、上記の商品��としては、例えばディスクを収納した貸し出しや販売ケースを示したが、その他の商品であってもよい。【００６４】  また、ケースＡ’には、開口４１側を開放させた挿入路４４が設けてある。【００６５】  上記の挿入路４４は、図示の場合ケースＡ’内の上部に上辺側周壁４３に平行する仕切壁４５を設けて形成したが、限定されない。【００６６】  さらに、挿入路４４に挿入部材４６を挿入すると共に、この挿入部材４６の挿入方向の反対側末端には、開口４１の一部を閉鎖して商品ａの抜き取りを阻止するストッパ４７が設けてある。【００６７】  なお、周知のように挿入部材４６の末端の手前に中折れ関接部（図示省略）を設けておくと、挿入路４４に中折れ関接部が挿入されることでストッパ４７の上方への逃げの回動が阻止され、挿入路４４から中折れ関接部を脱出させるように挿入部材４６をスライドさせてストッパ４７を上方に回動させながら逃がすとケースＡ’から商品ａを取り出すことが可能になる。【００６８】  また、挿入部材４６には、第１の実施形態と同様の所要数の係止爪２１と、補助係止爪３１とが（それぞれに鉄片２６、３３を有する）設けてあり、挿入路４４には、第１の実施形態と同様の係止部２２と補助係止部３２とが設けてある。【００６９】  上記の係止爪２１、補助係止爪３１及び係止部２２、補助係止部３２の構成は、第１の実施形態と同様につき詳細な説明を省略する。【００７０】  すると、第１の実施形態と同様の作用効果がある。【００７１】  上記作用効果のショップ側の解除具２７を用いた解除方式及び顧客の携行永久磁石３５により解除しようとする行為の説明は、第１の実施形態と同様につき詳細な説明を省略する。【００７２】  なお、挿入部材４６の構成も第１の実施形態と同様につき詳細な説明を省略する。【００７３】  この発明の第３の実施形態では、図１３から図１５に示すように、ＣはブックＳを挿入する筒状の保持部材である。【００７４】上記の保持部材Ｃは、上下で対向する頂壁５１及び底壁５２と、左右で対向する側壁５３、５３とで構成され、保持部材ＣにブックＳを挿入する際、側壁５３、５３にブックＳの表裏表紙５４と綴じ込み紙５５の全部を挿入する場合と、ブックＳの厚みが両側壁５３間の対向間隔よりも厚いと、図１５に示すように表裏表紙５４の少なくとも片方のみ、或いは表裏表紙５４と綴じ込み紙５５の一部を側壁５３の外側に位置させて挿入する。【００７５】  その際、保持部材Ｃに挿入したブックＳが通過しない抜け止め部５６を設けておく。【００７６】  上記の抜け止め部５６は、図示の場合、側壁５３を連結する連結板によって構成したが、限定されず、頂壁５１及び底壁５２の少なくとも片方の内面で、ブックＳの挿入側端に食い込み片（図示省略）を設けて、この食い込み片を綴じ込み紙間に食い込ませることで、食い込み片がブックＳの綴じ代側に当接したブックＳの抜ける方向のスライドを止めることができる。【００７７】  また、頂壁５１の上側に筒状体５７を設けて、この筒状体５７内を挿入路５８とし、この挿入路５８に挿入した挿入部材５９の挿入方向の反対側末端には、ブックＳの背表紙６０の表面に臨むストッパ６１が設けてあり、このストッパ６１によりブックＳの抜き取りを防止する。【００７８】  なお、図１４に示すようにストッパ６１をピン６２を介し回動自在に取付け、このピン６２の中折れ関節部分を挿入路５８に嵌入することでストッパ６１の回動が止められ、ピン６２の部分が挿入路５８から脱出することでストッパ６１を起きる方向に回動させてブックＳを抜き取ることができるので、挿入部材５９の全部を挿入路５８から完全に抜かなくてもよい。勿論限定されない。【００７９】  また、挿入部材５９には、第１の実施形態と同様の所要数の係止爪２１と補助係止爪３１とが（それぞれに鉄片２６、３３を有する）設けてあり、挿入路５８には、第１の実施形態と同様の係止部２２と補助係止部３２とが設けてある。【００８０】上記の係止爪２１、補助係止爪３１及び係止部２２、補助係止部３２の構成は、第１の実施形態と同様につき詳細な説明を省略する。【００８１】  すると、第１の実施形態と同様の作用効果がある。【００８２】  上記の作用効果のショップ側の解除具２７を用いた解除方式及び顧客の携行永久磁石３６により解除しようとする行為の説明は、第１の実施形態と同様につき説明を省略する。【００８３】  なお、挿入部材５９の構成も、第１の実施形態と同様につき説明を省略する。【００８４】  この発明の第４の実施形態では、図１６、１７に示すように、第１、第２及び第３の実施形態の係止爪２１側の鉄片２６に対する補助係止爪３１側の鉄片３３の隣接距離を、ショップ側の解除具２７に保持してある永久磁石２８により鉄片２６を磁吸した際鉄片３３を磁吸しない位置になり、顧客の携行した永久磁石を近づけると両鉄片２６、３３を磁吸するような位置になるように配置しておく。すなわち、永久磁石２８は、鉄片２６を磁吸する範囲の長さにしてある。【００８５】  すると、ショップ側での解除の際、図１７に示すように永久磁石２８により係止爪２１の鉄片２６のみを磁吸して、係止爪２１と係止部２２との係止関係を解除し、挿入部材８（４６、５９も）の脱出方向のスライドが可能になる。【００８６】  しかしながら、顧客が携行した永久磁石３５で解除しようとすると、図１８に示すように永久磁石３５の両端側が係止爪２１と補助係止爪３１との両鉄片２６、３３の配置範囲に及ぶと、鉄片２６、３６が磁吸されて、一方係止爪２１と係止部２２との係止関係が解除されるのに対し他方補助係止爪３１と補助係止部３２とが係止関係になる。【００８７】  このため、挿入部材８（４６、５９も）の脱出方向のスライドができない。【００８８】  なお、図１９に示すように補助係止爪３１と補助係止部３２に互いに係合するフック９１、９２を設け、挿入部材８（４６、５９も）を脱出方向に若干スライドさせても、両フック９１、９２が係合するようにしておくと、顧客によるフック９１、９２の係合解除がわからないためなお一層盗難防止の効果を向上し、又図１８に示すように挿入部材８、（４６、及び５９にも）の一端側に係止爪２１及び補助係止爪３１を集合させて、他端側に係止爪２１及び補助係止爪３１を配置しないようにしておくと、ショップ側の解除具の永久磁石が他端側に設けてある、盗難防止タグＦに悪影響を及ぼすことがない。
【図面の簡単な説明】
【００８９】
【図１】  この発明の第１の実施形態のケースの斜視図
【図２】  挿入部材の側面図
【図３】  使用状態を示す分解斜視図
【図４】  使用時の縦断側面図
【図５】  同縦断正面図
【図６】  他の部分の縦断正面図
【図７】  係合手段の他の例を示す縦断正面図
【図８】  ショップ側の解除を示す縦断側面図
【図９】  顧客の解除を示す縦断側面図
【図１０】  係止爪と補助係止爪の他の配置を示す縦断側面図
【図１１】  第２の実施形態を示す分解斜視図
【図１２】  同縦断側面図
【図１３】  第３の実施形態を示す分解斜視図
【図１４】  同縦断側面図
【図１５】  同上の縦断正面図
【図１６】  係止爪と補助係止爪の他の配置を示す縦断側面図
【図１７】  第４の実施形態を示す縦断側面図
【図１８】  顧客による解除を示す縦断側面図
【図１９】  補助係止爪係止部を示す縦断拡大側面図
【図２０】  従来例を示す斜視図
【図２１】  同縦断側面図
【図２２】  他の従来例を示す縦断側面図
【図２３】  同縦断正面図
【符号の説明】
【００９０】Ａ、Ａ’        ケース
ａ              商品
Ｂ              係合手段
１              箱体
２              ヒンジ
３              蓋体
４              側壁
５              周壁
６              開口
７              挿入路
８              挿入部材
９              板状体
１０            突片
１１            切欠き
１２            側板
１３            連結板
１４            係止片
１５            筒状体
１６            閂材
２１            係止爪
２２            係止部
２３            ヒンジ
２４            傾動板
２５            仕切壁
２６            鉄片
２７            解除具
２８            永久磁石
２９            突出部
３１            補助係止爪
３２            補助係合部
３３            鉄片
３５            永久磁石
４１            開口
４２            側壁
４３            周壁
４４            挿入路
４５            仕切壁
４６            挿入部材
４７            ストッパ
Ｓ              ブック
Ｃ              保持部材
５１            頂壁
５２            底壁
５３            側壁
５４            表裏表紙
５５            綴じ込み紙
５６            抜け止め部
５７            筒状体
５８            挿入路
５９            挿入部材
６０            背表紙
６１            ストッパ
６２            ピン
Ｆ              タグ
【図１】
2009073558.tif 000003
【図２】
2009073558.tif 000004
【図３】
2009073558.tif 000005
【図４】
2009073558.tif 000006
【図５】
2009073558.tif 000007
【図６】
2009073558.tif 000008
【図７】
2009073558.tif 000009
【図８】
2009073558.tif 000010
【図９】
2009073558.tif 000011
【図１０】
2009073558.tif 000012
【図１１】
2009073558.tif 000013
【図１２】
2009073558.tif 000014
【図１３】
2009073558.tif 000015
【図１４】
2009073558.tif 000016
【図１５】
2009073558.tif 000017
【図１６】
2009073558.tif 000018
【図１７】
2009073558.tif 000019
【図１８】
2009073558.tif 000020
【図１９】
2009073558.tif 000021
【図２０】
2009073558.tif 000022
【図２１】
2009073558.tif 000023
【図２２】
2009073558.tif 000024
【図２３】
2009073558.tif 000025